(57)【特許請求の範囲】
【請求項１】
電気泳動素子を備えた画素を複数配置して表示部を構成し、前記表示部は第１の画像の表示と前記第１の画像の表示の後に、第２の画像を表示し、前記複数の画素のうち選択された画素に階調データの書き込みを行う電気泳動ディスプレーであって、
画像切換を検出すると、前記第２の画像に応じた第２階調データを選択された画素に書き込む画像書込部と、前記画像書込部による書き込み前に、前記複数の画素の各々に初期化用の第１の階調に対応した第１階調データを書き込むリセット処理部と、を備え、
前記リセット処理部は、
前記複数の画素のうち、前記初期化用の前記第１階調データを書き込む画素を予め設定した順番で選択し、前記選択された画素に順次、前記第１階調データを書き込むことで、前記第１の画像を表示する前記複数の画素の各々の階調を順次前記第１階調データに対応した第１の階調に初期設定する第１階調書込手段と、
前記第１の階調の階調データを書き込んだ画素に対し、前記第１階調データの書き込みから第１の期間後に、前記第１の階調とは異なる第２の階調の階調データを書き込む第２階調書込手段と、を備え、
更に、前記第２の階調の階調データを書き込んだ画素に対し、前記第２の階調の階調データの書き込みから第２の期間後に、第３の階調の階調データを書き込み、
前記第１の画像の画像表示における各画素の階調に基づき、前記第１の画像表示で一番多く占有する階調を前記第１の階調とすることを特徴とする電気泳動ディスプレー。
【請求項２】
前記第３の階調の階調データは、前記第２の画像に応じた階調データであり、
前記画像書込部が、前記第３の階調の階調データを書き込むことを特徴とする請求項１に記載した電気泳動ディスプレー。
【請求項３】
前記第３の階調の階調データは、第１の階調の階調データであり、
前記リセット処理部が、前記第３の階調の階調データを書き込むことを特徴とする請求項１に記載した電気泳動ディスプレー。
【請求項４】
前記第１の期間は、第１の階調に対応した電気泳動粒子の移動度に基づき設定し、前記第１の期間とは異なる第２の期間は、前記第２の階調に対応した電気泳動粒子の移動度に基づき設定することを特徴とする請求項１〜請求項３のいずれか１項に記載した電気泳動ディスプレー。
【請求項５】
前記複数の各画素に対し、前記第１の階調の階調データを書き込む画素を選択する第１走査線と、前記第２の階調の階調データを書き込む画素を選択する第２走査線と、を個別に有し、
前記第１階調書込手段は、前記第１走査線によって書き込む画素を選択し、
前記第２階調書込手段は、前記第２走査線によって書き込む画素を選択することを特徴とする請求項１〜請求項４のいずれか１項に記載した電気泳動ディスプレー。
【請求項６】
階調データを書き込む画素を選択する走査線を備え、
前記各走査線に対して、前記第１の階調の階調データを書き込む選択信号を供給した後に、前記第１の期間後に前記第２の階調の階調データを書き込む選択信号を供給し、更に前記第２の期間後に前記第３の階調の階調データを書き込む選択信号を供給することを特徴とする請求項１〜請求項４のいずれか１項に記載した電気泳動ディスプレー。
【発明の詳細な説明】
【技術分野】
【０００１】
本発明は、例えば、電気泳動素子中の電気泳動粒子の移動を制御することで画像表示を切り換える電気泳動ディスプレーに関する。
【背景技術】
【０００２】
電気泳動ディスプレーとしては、例えば特許文献１〜３に記載の装置がある。これら特許文献１〜３に記載の電気泳動ディスプレーでは、画像切換の際に、一旦現在の画像表示を消去する初期化処理（リセット処理）を行う。そして、その後に、次の画像表示データの書き込みを行う。
前記リセット処理として、全画素に対し白の階調データを単純に書き込んで消去することが考えられる。しかし、一般的な電気泳動ディスプレーでは、一度白の階調データを書き込むだけではきれいに消去できず、消去前の画像の残像が残ってしまうおそれがある。
【０００３】
これに対し、特許文献１では、表示画面全体を、全黒と全白とを交互に複数回表示させて消去する（段落番号００２８〜００３８参照）。これによって、残像を軽減することが可能となる。
また、特許文献２には、１走査線選択期間中に消去と画像データの書き込みとを同時期に行う方法が開示されている。この特許文献２は、書き換え時において、単一色の画像が一時的に表示されることを防止することで、ユーザーにストレスを与えないことを目的とする。
【０００４】
また、特許文献３には、走査線駆動回路、データ線駆動回路、及び画素回路をそれぞれ２組ずつ持ち、消去と書き込みを並行して行う方法が開示されている。
【先行技術文献】
【特許文献】
【０００５】
【特許文献１】特開２００７−２０６２６６号公報
【特許文献２】特開２００８−２０９４８２号公報
【特許文献３】特開２００８−２１６８６２号公報
【発明の概要】
【発明が解決しようとする課題】
【０００６】
しかし、特許文献１に記載の技術では、画像書き換えのたびに、表示部の画面全体が黒白に点滅してしまう。
特許文献２に記載の技術では、書き換え時に画面全体が点滅することは無い。しかし、特許文献２の技術では、１回白を書き込むだけの消去であるので、前の画像表示の残像が残ってしまうおそれがある。また、消去には例えば数１０ｍｓは必要なため、仮に１０ｍｓで消去できたとしても、走査線が１０００本あるようなディスプレーでは１画面を書き換えるのに１０秒もかかってしまう。このため、ユーザーにストレスを与えるおそれがある。
【０００７】
また、特許文献３に記載の技術では、少なくとも画素回路を二組備えることとなる。このため、回路を構成する素子数が増えることから、歩留まりが低下するおそれがある。また、特許文献３に記載の技術は、片側の回路を消去専用、もう一方の回路をデータ専用としている。このため、黒と白を交互に書き込むような複雑な消去パターンを使う場合は、全画面を一度走査して黒にした後、再度全画面走査して白にする必要がある。このことは、消去に時間がかかる上、画面全体を点滅させることに繋がる。また、特許文献３には、点滅無く、残像も無いように消去するために、画素毎に異なる消去パターンを入れることが記載されている。しかし、消去前の画素の状態を画素毎に回路が把握して処理する必要があり、煩雑となるおそれがある。
【０００８】
本発明は、前記のような点に着目してなされたもので、画面全体を所定の階調で点滅させることなく、所定の領域を同じ消去パターンで、残像を低減できる技術を目的とする。
【課題を解決するための手段】
【０００９】
前記課題を解決するために、本発明に係る１の態様は、
電気泳動素子を備えた画素を複数配置して表示部を構成し、前記表示部は第１の画像の表示と前記第１の画像の表示の後に、第２の画像を表示し、前記複数の画素のうち選択された画素に階調データの書き込みを行う電気泳動ディスプレーであって、
画像切換を検出すると、前記第２の画像に応じた第２階調データを選択された画素に書き込む画像書込部と、前記画像書込部による書き込み前に、前記複数の画素の各々に初期化用の第１の階調に対応した第１階調データを書き込むリセット処理部と、を備え、
前記リセット処理部は、
前記複数の画素のうち、前記初期化用の前記第１階調データを書き込む画素を予め設定した順番で選択し、前記選択された画素に順次、前記第１階調データを書き込むことで、前記第１の画像に応じて、前記複数の画素の各々の階調を順次前記第１階調データに対応した第１の階調に初期設定する第１階調書込手段と、
前記第１の階調の階調データを書き込んだ画素に対し、前記第１階調データの書き込みから第１の期間後に、前記第１の階調とは異なる第２の階調の階調データを書き込む第２階調書込手段と、を備え、
更に、前記第２の階調の階調データを書き込んだ画素に対し、前記第２の階調の階調データの書き込みから第２の期間後に、第３の階調の階調データを書き込むことを特徴とする。
【００１０】
前記第１の期間及び第２の期間は、対応する階調を全画素に書き込むのに必要な時間よりも短い期間である。
本実施態様によれば、第１の画像の画像表示を直接、予め設定した順番で第１の階調によって消去し、続けて第２の階調で上書きする。これによって、画面全体を一旦同一の階調で消去することが無い。また例えば、第１の期間で特定される幅の第１の階調の帯、第２の期間で特定される幅の第２の階調の帯で、画面を走査して、第１の画像を直接リセットする。
これによって、リセットのための時間を抑えつつ、しかも画面全体を所定の階調で点滅させることなく、全画素を同じ消去パターンで、より残像を低減することができる。
【００１１】
次に、本発明に係る他の態様は、
前記第３の階調の階調データは、前記第２の画像に応じた階調データであり、
前記画像書込部が、前記第３の階調の階調データを書き込むことを特徴とする。
【００１２】
本実施態様によれば、第２の階調での上書きに続いて、順次、次の画像表示に応じた階調データの書き込みが行われる。この結果、画像切換時における、次の画像書き込みを早くすることが可能となる。
【００１３】
次に、本発明に係る他の態様は、
前記第３の階調の階調データは、第１の階調の階調データであり、
前記リセット処理部が、前記第３の階調の階調データを書き込むことを特徴とする。
本実施態様によれば、リセット処理のために各画素に対し３回以上の書き込みが行われる。この結果、より残像の低減が可能となる。
【００１４】
次に、本発明に係る他の態様は、
前記第１の期間は、第１の階調に対応した電気泳動粒子の移動度に基づき設定し、前記第１の期間とは異なる第２の期間は、前記第２の階調に対応した電気泳動粒子の移動度に基づき設定することを特徴とする。
【００１５】
本実施態様によれば、より確実にリセットのための第１及び第２の階調書き込みを行うことが出来る。通常、第１の階調に対応した電気泳動粒子の移動度と、第２の階調に対応した電気泳動粒子の移動度とは異なるため、第１の期間と第２の期間とは異なる期間となる。
【００１６】
次に、本発明に係る他の態様は、
前記第１の画像の画像表示における各画素の階調に基づき、前記第１の画像表示で一番多く占有する階調を前記第１の階調とすることを特徴とする。
第１の画像の画像表示で一番多い階調を第１の階調として、第１の画像を順番に消去する。この結果、消去の際に階調が変化する画素数を抑える結果、よりリセットの際における、ユーザーに与えるちらつきを低減することが可能となる。
【００１７】
次に、本発明に係る他の態様は、
前記複数の各画素に対し、前記第１の階調の階調データを書き込む画素を選択する第１走査線と、前記第２の階調の階調データを書き込む画素を選択する第２走査線と、を個別に有し、
前記第１階調書込手段は、前記第１走査線によって書き込む画素を選択し、
前記第２階調書込手段は、前記第２走査線によって書き込む画素を選択することを特徴とする。
【００１８】
本実施態様によれば、第１の階調を書き込んでいる画素とは異なる画素に対し、同時期に第２の階調を書き込むことが可能となる。このことは、リセット処理の時間を短縮することに繋がる。
【００１９】
次に、本発明に係る他の態様は、
階調データを書き込む画素を選択する走査線を備え、
前記各走査線に対して、前記第１の階調の階調データを書き込む選択信号を供給した後に、前記第１の期間後に前記第２の階調の階調データを書き込む選択信号を供給し、更に関第２の期間後に前記第３の階調の階調データを書き込む選択信号を供給することを特徴とする。
【００２０】
本実施態様によれば、走査線を増加することなく、第１の階調と第２の階調によるリセット処理が可能となる。
【図面の簡単な説明】
【００２１】
【図１】本発明に基づく第１実施形態に係る電気泳動ディスプレーの構成を説明するための図である。
【図２】本発明に基づく第１実施形態に係る電気泳動ディスプレーの構成を説明するための図である。
【図３】本発明に基づく第１実施形態に係る画像信号処理部の構成を説明する図である。
【図４】本発明に基づく電気泳動ディスプレーの適用例を示す図である。
【図５】本発明に基づく第１実施形態に係るタイミングチャート例である。
【図６】本発明に基づく第１実施形態に係る表示上の動作例を示す図である。
【図７】本発明に基づく第２実施形態に係る電気泳動ディスプレーの構成を説明するための図である。
【図８】本発明に基づく第２実施形態に係る走査線駆動回路の構成を説明するための図である。
【図９】本発明に基づく第２実施形態に係るタイミングチャート例である。
【図１０】本発明に基づく第２実施形態に係る表示上の動作例を示す図である。
【図１１】本発明に基づく第２実施形態に係る走査線駆動回路の構成を説明するための図である。
【図１２】本発明に基づく第２実施形態に係るタイミングチャート例である。
【発明を実施するための形態】
【００２２】
次に、本発明に係る実施形態について図面を参照して説明する。
ここで、以下の説明では、表示する第１の階調を黒色とし、第２の階調を白色とする。そして、電気泳動表示部に白色と黒色を使用して画像を表示する場合を例に挙げて説明する。ただし、表示させる第１の階調及び第２の階調は、白色及び黒色の組である必要はなく、別の色であっても構わない。すなわち、本発明は、カラー画像表示であっても適用可能であり、例えば、第１の階調を赤色とし、第２の階調を黒色としても良い。
【００２３】
「第１実施形態」
（構成）
図１は、本実施形態における電気泳動表示装置ＥＰＤの構成を示す概念図である。
本実施形態の電気泳動表示装置ＥＰＤは、電気泳動表示部１、及びディスプレーコントローラ１００を備える。ディスプレーコントローラ１００は、電気泳動表示部１の表示を制御する。すなわち、ディスプレーコントローラ１００は、電気泳動表示部用の駆動制御装置を構成する。
【００２４】
前記電気泳動表示部１は、電気泳動表示パネル１０、走査線駆動回路２０Ａ、２０Ｂ、２０Ｃ、及びデータ線駆動回路３０Ａ、３０Ｂ、３０Ｃを備える。
前記電気泳動表示パネル１０は、複数の画素１１ｎｍ、走査線ＹＬｎ、ＹＲ１−ｎ、ＹＲ２−ｎ、データ線ＸＬｍ、ＸＲ１−ｍ、ＸＲ２−ｍ及び共通電極配線を備える。この実施形態では、ｎ行×ｍ列分の画素を有するパネルで例示している。そして、画素１１ｎｍは、ｎ行ｍ列の画素を示す。走査線ＹＬｎ、ＹＲ１−ｎ、ＹＲ２−ｎは、それぞれｎ行目の走査線を示す。データ線ＸＬｍ、ＸＲ１−ｍ、ＸＲ２−ｍは、ｍ列目のデータ線を示す。
【００２５】
すなわち、電気泳動表示パネル１０には、ｎ行×ｍ列分の複数の画素１１ｎｍがマトリックス状に配置されている。また、複数の走査線ＹＬｎ、ＹＲ１−ｎ、ＹＲ２−ｎが、図１中縦方向（Ｙ方向）に沿って配列されている。この走査線ＹＬｎ、ＹＲ１−ｎ、ＹＲ２−ｎは、各行に位置する画素１１ｎｍ毎に３本ずつ配置されている。その走査線ＹＬｎ、ＹＲ１−ｎ、ＹＲ２−ｎと交差する方向（Ｘ方向）に並んで複数のデータ線ＸＬｍ、ＸＲ１−ｍ、ＸＲ２−ｍが配列する。データ線ＸＬｍ、ＸＲ１−ｍ、ＸＲ２−ｍは、各列に位置する画素１１ｎｍ毎に３本ずつ配置する。すなわち、本実施形態では、各画素１１ｎｍに対し、３本の走査線ＹＬｎ、ＹＲ１−ｎ、ＹＲ２−ｎと３本のデータ線ＸＬｍ、ＸＲ１−ｍ、ＸＲ２−ｍとが接続されていることとなる。なお、図１では、走査線ＹＬｎ、ＹＲ１−ｎ、ＹＲ２−ｎとデータ線ＸＬｍ、ＸＲ１−ｍ、ＸＲ２−ｍとが直交する場合を例示しているが、走査線ＹＬｎ、ＹＲ１−ｎ、ＹＲ２−ｎとデータ線ＸＬｍ、ＸＲ１−ｍ、ＸＲ２−ｍとは直交している必要はない。また、走査線ＹＬｎ、ＹＲ１−ｎ、ＹＲ２−ｎと同方向に複数本の共通電極配線１４を配置する。
【００２６】
上述のように、各画素１１ｎｍに対し、３本の走査線ＹＬｎ、ＹＲ１−ｎ、ＹＲ２−ｎ及び３本のデータ線ＸＬｍ、ＸＲ１−ｍ、ＸＲ２−ｍが接続されている。３本の走査線ＹＬｎ、ＹＲ１−ｎ、ＹＲ２−ｎを、区別する場合には、第１走査線ＹＬｎ、第２走査線ＹＲ１−ｎ、及び第３走査線ＹＲ２−ｎと呼ぶ。同様に、３本のデータ線ＸＬｍ、ＸＲ１−ｍ、ＸＲ２−ｍを区別する場合には、第１データ線ＸＬｍ、第２データ線ＸＲ１−ｍ、及び第３データ線ＸＲ２−ｍと呼ぶ。
【００２７】
第１走査線ＹＬｎ及び第１データ線ＸＬｍは、リセット処理の際に、第１の階調である黒色の階調データを画素１１ｎｍに書き込む際に使用する。また、第２走査線ＹＲ１−ｎ及び第２データ線ＸＲ１−ｍは、リセット処理の際に、第２の階調である白色の階調データを画素１１ｎｍに書き込む際に使用する。また、第３走査線ＹＲ２−ｎ及び第３データ線ＸＲ２−ｍは、画像データを書き込む際に使用する。
【００２８】
走査線駆動回路は、前述の第１走査線駆動回路２０Ａ、第２走査線駆動回路２０Ｂ、及び第３走査線駆動回路２０Ｃからなる。
第１走査線駆動回路２０Ａは、ディスプレーコントローラ１００からの制御信号に応じた電圧信号を第１走査線ＹＬｎに供給する。第２走査線駆動回路２０Ｂは、ディスプレーコントローラ１００からの制御信号に応じた電圧信号を第２走査線ＹＲ１−ｎに供給する。第３走査線駆動回路２０Ｃは、ディスプレーコントローラ１００からの制御信号に応じた電圧信号を第３走査線ＹＲ２−ｎに供給する。前記第１走査線駆動回路２０Ａは、シフトレジスタ回路２０Ａ１、レベルシフタ２０Ａ２、及び出力バッファ２０Ａ３を備える。同様に、第２走査線駆動回路２０Ｂは、シフトレジスタ回路２０Ｂ１、レベルシフタ２０Ｂ２、及び出力バッファ２０Ｂ３を備え、第１走査線駆動回路２０Ｃは、シフトレジスタ回路２０Ｃ１、レベルシフタ２０Ｃ２、及び出力バッファ２０Ｃ３を備える。
【００２９】
そして、第１走査線駆動回路２０Ａには、シフトレジスタ回路２０Ａ１にクロックパルスが入力された状態で、スタートパルスが入力される。入力されたスタートパルスは、クロックパルスの立上り及び立ち下がりに同期して順にシフトしていく。これによって、縦に並ぶ第１走査線ＹＬ１から第１走査線ＹＬｎまで順に選択信号が出力される。同様にして、第２走査線駆動回路２０Ｂでも、縦に並ぶ第２走査線ＹＲ１−１から第２走査線ＹＲ１−ｎまで順に選択信号が出力される。また、第３走査線駆動回路２０Ｃでも、縦に並ぶ第３走査線ＹＲ２−１から第３走査線ＹＲ２−ｎまで順に選択信号が出力される。
【００３０】
ここで、レベルシフタ２０Ａ２、２０Ｂ２、２０Ｃ２は、選択信号の電位を変える回路である。また、出力バッファ２０Ａ３、２０Ｂ３、２０Ｃ３は、前記選択信号の電流増幅を行い、電流増幅された選択信号が対応する走査線ＹＬｎ、ＹＲ１−ｎ、ＹＲ２−ｎに供給される。
【００３１】
ここで、本実施形態では、縦に並ぶ第１〜３走査線ＹＬｎ、ＹＲ１−ｎ、ＹＲ２−ｎとも表示部における一番下側の表示位置に対応する第１行の画素群から第ｎ行の画素群に向けて順番に選択するように予め設定しておく。すなわち、下側の行の画素群から上側の行の画素群に向けて順次選択される。
画素群とは、対応する行に位置する画素の集合を指す。つまり、同じ走査線に接続する画素毎に画素群が形成されている。
【００３２】
データ線駆動回路は、第１データ線駆動回路３０Ａ、第２データ線駆動回路３０Ｂ、及び第３データ線駆動回路３０Ｃからなる。第１データ線駆動回路３０Ａは、ディスプレーコントローラ１００からの制御信号に応じた電圧信号（階調データ）を第１データ線ＸＬｍに供給する。第２データ線駆動回路３０Ｂは、ディスプレーコントローラ１００からの制御信号に応じた電圧信号（階調データ）を第２データ線ＸＲ１−ｍに供給する。また、共通の電圧を共通電極配線１４に供給する。第３データ線駆動回路３０Ｃは、ディスプレーコントローラ１００からの制御信号に応じた電圧信号（階調データ）を第３データ線ＸＲ２−ｍに供給する。また、複数の画素に共通の電圧ＣＯＭを共通電極配線１４に供給する。
【００３３】
次に、前記各画素１１ｎｍの構成例について説明する。
本実施形態の画素１１ｎｍは、図２に示すように、電気泳動素子１１Ａ、その電気泳動素子１１Ａを挟んで対向配置する画素電極１１Ｂ及び共通電極１１Ｃと、画素回路とを備える。なお、共通電極１１Ｃは可視光を透過する透明電極であって、当該共通電極１１Ｃ側が画素電極１１Ｂに対してディスプレーの表示面側となる。そして、各画素１１ｎｍは、前記画素電極１１Ｂ及び共通電極１１Ｃに印加される電圧による、画素電極１１Ｂと共通電極１１Ｃとの間の電位差によって、前記電気泳動素子１１Ａ内の電気泳動粒子が移動することで目的とする階調表示となる。
【００３４】
すなわち、図２に示す画素１１ｎｍは、電気泳動素子１１Ａ、３つのスイッチング素子（ＴＦＴ）１１Ｄｎｍ、１１Ｅｎｍ、１１Ｆｎｍ、画素電極１１Ｂ、共通電極１１Ｃ、及び保持容量１１Ｇを備える。上述のように対向配置する画素電極１１Ｂ及び共通電極１１Ｃとの間に電気泳動素子１１Ａが配置されている。なお、共通電極１１Ｃは、複数の画素１１ｎｍに共通する電極であるが、物理的には各画素１１ｎｍ毎に分割されていても良い。
【００３５】
前記各スイッチング素子１１Ｄｎｍ、１１Ｅｎｍ、１１Ｆｎｍは、例えばＮ型のアモルファスシリコンＴＦＴである。この場合には、第１のスイッチング素子１１Ｄｎｍは、ゲート端子が第１走査線ＹＬｎに接続され、ソース端子が第１データ線ＸＬｍに接続される。さらに、第１のスイッチング素子１１Ｄｎｍのドレイン端子が対応する画素１１ｎｍの画素電極１１Ｂ及び保持容量１１Ｇに接続される。同様に、第２のスイッチング素子１１Ｅｎｍは、ゲート端子を第２走査線ＹＲ１−ｎに接続され、ソース端子が第２データ線ＸＲ１−ｍに接続される。さらに、第２のスイッチング素子１１Ｅｎｍのドレイン端子が対応する画素１１ｎｍの画素電極１１Ｂ及び保持容量１１Ｇに接続される。また、第３のスイッチング素子１１Ｆｎｍは、ゲート端子が第３走査線ＹＲ２−ｎに接続され、そのソース端子が第３データ線ＸＲ２−ｍに接続される。さらに、第３のスイッチング素子１１Ｆｎｍのドレイン端子が対応する画素１１ｎｍの画素電極１１Ｂ及び保持容量１１Ｇに接続されている。
【００３６】
保持容量１１Ｇは、スイッチング素子１１Ｄｎｍ、１１Ｅｎｍ、１１Ｆｎｍによって画素電極１１Ｂに印加された電圧を保持する。
ここで、画素１１ｎｍは、画素電極１１Ｂと共通電極１１Ｃとの間に電気泳動素子１１Ａを介装して構成される。このため、画素１１ｎｍは、電極面積、電極間の距離、および電気泳動素子１１Ａの誘電率に応じた画素容量を形成する。
【００３７】
前記電気泳動素子１１Ａは、マイクロカプセルや隔壁型などの少なくとも表示面側が透明な収容容器と、収容容器内に封入された透明な液体からなる分散媒体と、分散媒体中に分散した２種類の電気泳動粒子と、から構成される。
ここで、収容容器をマイクロカプセルで構成する場合について説明する。マイクロカプセルは、例えば５０μｍ程度の粒径を有すると共に、ポリメタクリル酸メチル、ポリメタクリル酸エチル等のアクリル樹脂、ユリア樹脂、アラビアゴム等の光透過可能な高分子樹脂によって形成する。そして、一つの画素１１ｎｍ内に、１又は複数のマイクロカプセルが配置されている。また、マイクロカプセルの周囲を埋めるように、当該マイクロカプセルを固定するバインダ（図示しない）を設ける。
【００３８】
前記分散媒体は、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、３０−ジクロロエタン等のハロゲン化炭化水素、カルボン酸塩又はその他の種々の油類等の単独又はこれらの混合物に界面活性剤等を配合したものを使用する。
【００３９】
また、収容容器内に収容される２種類の電気泳動粒子は、本実施形態では、黒粒子と白粒子とから構成する。黒粒子及び白粒子は、分散媒体中において、電位差による電気泳動により移動する性質を有する粒子（高分子あるいはコロイド）である。
黒粒子は、例えば、アニリンブラック、カーボンブラック等の黒色顔料からなる粒子（高分子あるいはコロイド）であり、例えば正に帯電させておく。白粒子は、例えば、二酸化チタン、亜鉛華、三酸化アンチモン等の白色顔料からなる粒子（高分子あるいはコロイド）であり、例えば負に帯電させておく。
【００４０】
なお、電気泳動粒子は白粒子と黒粒子に限定されない。カラー画像用に、赤粒子と黒粒子などの組から構成されていても良い。また、収容容器に収容される分散媒体が所望の色を有していれば、収容される電気泳動粒子は１種類だけでも良い。
また、前記共通電極１１Ｃは、前記共通電極配線１４に接続されている。
また、前記ディスプレーコントローラ１００は、図３に示すように、画像信号処理部１１０およびタイミングジェネレータ１２０を備える。
【００４１】
画像信号処理部１１０は、画像データを電気泳動表示部１に表示するための制御信号を生成し、生成した制御信号を各走査線駆動回路２０Ａ、２０Ｂ、２０Ｃ及び各データ線駆動回路３０Ａ、３０Ｂ、３０Ｃに供給する。また、タイミングジェネレータ１２０は、リセット処理の設定や画像データが画像信号処理部１１０から出力されるときに、各走査線駆動回路２０Ａ、２０Ｂ、２０Ｃや各データ線駆動回路３０Ａ、３０Ｂ、３０Ｃを制御するための各種期間信号を生成する。
【００４２】
ここで、本実施形態では、データ線ＸＬｍ、ＸＲ１−ｍ、ＸＲ２−ｍ及び共通電極配線１４に供給する電圧、つまり画素電極１１Ｂ及び共通電極１１Ｃに印加する電圧として、予め設定した２種類の電圧値を使用する。すなわち、その２種類の電圧値のいずれかをデータ線ＸＬｍ、ＸＲ１−ｍ、ＸＲ２−ｍ及び共通電極配線１４に供給することで、各画素１１ｎｍの階調表示を制御する。前記２種類の電圧値は、第１の電位Ｈｉと第２の電位Ｌｏとし、第１の電位Ｈｉの方が第２の電位Ｌｏより高電位とする。本実施形態では、黒色（第１の階調表示）の階調表示の場合に、第１の電位Ｈｉを画素電極１１Ｂに供給し、白色（第２の階調表示）の階調表示の場合に、第２の電位Ｌｏを画素電極１１Ｂに供給する場合で例示する。もちろん、白色及び黒色に対応する電気泳動粒子の帯電に応じて、画素電極１１Ｂに印加する電圧を設定すれば良い。上述のように共通電極には電圧ＣＯＭが供給される。
【００４３】
前記画像信号処理部１１０は、画像データ読込部１１０Ａ、画像変換部１１０Ｂ、リセット処理部１１０Ｃ、及び画像書込部１１０Ｄを備える。そして、新たな画像を書き込む際に、画像データ読込部１１０Ａ、画像変換部１１０Ｂ、リセット処理部１１０Ｃ、及び画像書込部１１０Ｄの順番に処理が実行される。
【００４４】
ここで、図１に示すように、ＣＰＵは、画像選択手段から、画像選択や次項送りなどの画像書込み要求の信号を入力すると、補助記憶装置（ＨＤＤやフラッシュメモリなど）から対応する画像データを取得して、キャッシュメモリに保存する。また、画像書込要求の信号を画像データ読込部１１０Ａに出力する。
画像データ読込部１１０Ａは、画像書込要求の信号を検出すると、画像データをキャッシュメモリから取得する。
【００４５】
画像変換部１１０Ｂは、画像データ読込部１１０Ａが取得した画像データを、画像データの形式に応じて適宜、表示用のサイズに変換した後に、白黒（階調）画像データに変換する。さらに、白黒（階調）画像データを白黒（２階調）画像データに変換する。これによって、書込要求あった表示画像である、新たな表示画像を表示する際における、各画素１１ｎｍの階調（第１の階調若しくは第２の階調）が決定する。
【００４６】
リセット処理部は、前記画像書込部による画像データの書き込み前に、少なくとも次に書き換える領域に位置する各画素１１ｎｍにリセット用の階調データを書き込む。前記リセット処理部は、第１階調書込手段１１０Ｃａと第２階調書込手段１１０Ｃｂとからなる。
【００４７】
第１階調書込手段１１０Ｃａは、階調データを書き込む画素１１ｎｍを予め設定した順番で選択し、選択された画素１１ｎｍに順次、第１の階調の第１階調データを書き込む。これによって、各画素１１ｎｍの現在の表示画像（第１の画像）に応じた階調を順番に第１の階調でリセットする。すなわち、現在電気泳動表示パネル１０に表示されている画像を第１行目から第ｎ行目に向けて、つまり下側の行から上側の行に向けて第１の階調で順番に消去していく。
【００４８】
本実施形態では、上述のように第１走査線駆動回路２０Ａに制御信号を供給することで、表示部１における書き換え領域の中で一番下の行の画素群から順番に上側に向けて、第１階調データを書き込む画素１１ｎｍを順次選択する。また、第１走査線ＹＬｎの選択に併せて、第１データ線駆動回路３０Ａに制御信号を供給することで、対応する第１データ線ＸＬｍに、第１の階調に応じた電圧値（本実施形態では第１の電位Ｈｉ）を供給する。なお、リセット処理中は、全ての第１データ線ＸＬｍに対して第１の階調に応じた電圧値を供給しておいても良い。
【００４９】
第２階調書込手段１１０Ｃｂは、前記第１階調書込手段１１０Ｃａが第１の階調の階調データを書き込んだ画素１１ｎｍに対し、当該第１の階調の階調データの書き込みから第１の期間ＴＭ１後に、第１の階調とは異なる第２の階調の階調データを書き込む。
本実施形態の第２階調書込手段１１０Ｃｂは、第１走査線駆動回路２０に選択開始の指示をしてから、予め設定した時間が経過したことを検出すると、第２走査線駆動回路２０Ｂに制御信号を供給する。これによって、第１走査線ＹＬｎの選択に対して第１の期間ＴＭ１の期間だけずれて、表示部１における書き換え領域の中で一番下の行の画素群から上側に向けて順番に、第２の階調データを書き込む画素１１ｎｍを順次選択する。また、第２走査線ＹＲ１−ｎの選択に併せて、第２データ駆動回路に制御信号を供給することで、対応する第２データ線ＸＲ１−ｍに、第２の階調に応じた電圧値（本実施形態では第２の電位Ｌｏ）を供給する。なお、リセット処理中は、全ての第２データ線ＸＲ１−ｍに対して第２の階調に応じた電圧値を供給しておいても良い。
【００５０】
このリセット処理部１１０Ｃでの駆動制御によるリセット動作は次のようになる。
すなわち、第１走査線駆動回路２０Ａは、第１走査線ＹＬｎに順次選択信号を供給する。これによって、順次、選択信号が供給された第１走査線ＹＬｎに接続した第１のスイッチング素子１１Ｄｎｍがオン状態になる。このとき、第１走査線ＹＬｎの選択に同期して第１データ線駆動回路３０Ａから供給されるデータ信号（リセット信号＝第１の電位Ｈｉ）が各画素電極１１Ｂに書き込まれる。このとき、データ信号の電圧レベルで保持容量１１Ｇも充電され、スイッチング素子の遮断後も画素１１ｎｍ（画素電極１１Ｂと共通電極１１Ｃ）の電荷保持を図り、電気泳動粒子による第１の階調状態を継続させる。
【００５１】
また、第２走査線駆動回路２０Ｂは、第１走査線駆動回路２０Ａで第１走査線ＹＬｎの選択開始の指示から第１の期間ＴＭ１後に、第２走査線ＹＲ１−ｎに順次選択信号を供給する。これによって、順次、選択信号が供給された第２走査線ＹＲ１−ｎに接続する第２のスイッチング素子１１Ｅｎｍがオン状態になる。このとき、第２走査線ＹＲ１−ｎの選択に同期して第２データ線駆動回路３０Ｂから供給されるデータ信号（リセット信号＝第２の電位Ｌｏ）が各画素電極１１Ｂに書き込まれる。このとき、データ信号の電圧レベルで保持容量１１Ｇも充電され、スイッチング素子の遮断後も画素１１ｎｍ（画素電極１１Ｂと共通電極１１Ｃ）の電荷保持を図り、電気泳動粒子による第２の階調状態を継続させる。
【００５２】
また、画像書込部１１０Ｄでは、新たな画像表示のために、次の画像表示に応じた階調データを各画素１１ｎｍに書き込む。
本実施形態の画像書込部１１０Ｄは、前記第２階調書込手段１１０Ｃｂが第２の階調の階調データを書き込んだ画素１１ｎｍに対し、当該第２の階調の階調データの書き込みから、第２の期間ＴＭ２後に、第３の階調の階調データとして、次に書き換える第２の画像表示に応じた階調データを書き込む。
【００５３】
本実施形態の画像書込部１１０Ｄは、前記第２走査線ＹＲ１−ｎの選択開始の指示から、予め設定した時間が経過したことを検出すると、第３走査線駆動回路２０Ｃに制御信号を供給する。これによって、第２走査線ＹＲ１−ｎの選択に対して第２の期間ＴＭ２の期間だけずれて、表示部１における一番下の行に位置する画素群から上側に向けて順番に、画像データを書き込む画素１１ｎｍの行を順次選択する。また、第３走査線ＹＲ２−ｎの選択に併せて、第３データ線駆動回路３０Ｃに制御信号を供給することで、対応する第３データ線ＸＲ２−ｍに、次の画像表示に対応した階調の電圧値を供給する。
【００５４】
この画像書込部での駆動制御による画像書込動作は次のようになる。
すなわち、第２走査線駆動回路２０Ｂによる第２走査線ＹＲ１−ｎの選択開始から第２の期間ＴＭ２後に、第３走査線ＹＲ２−ｎに順次選択信号を供給する。これによって、順次、選択信号が供給された第３走査線ＹＲ２−ｎに接続する第２のスイッチング素子１１Ｅｎｍがオン状態になる。このとき、第３走査線ＹＲ２−ｎの選択に同期して第３データ線駆動回路３０Ｃから供給されるデータ信号（画像データ）が各画素電極１１Ｂに書き込まれる。このとき、データ信号の電圧レベルで保持容量１１Ｇも充電され、スイッチング素子の遮断後も画素１１ｎｍ（画素電極１１Ｂと共通電極１１Ｃ）の電荷保持を図り、電気泳動粒子による画像データの維持を図る。
【００５５】
「電子機器」
前記構成の電気泳動ディスプレーは、電気泳動表示部１を備えた種々の電子機器に適用することが可能である。
その一例を次に説明する。
【００５６】
図４は、本発明の電気泳動ディスプレーを適用した電子機器の具体例を説明する斜視図である。図４（ａ）は、電子機器の一例である電子ブック１０００を示す斜視図である。この電子ブック１０００は、ブック形状のフレーム１００１と、このフレーム１００１に対して回動自在に設けられた（開閉可能な）カバー１００２と、操作部１００３と、本実施形態の電気泳動表示装置ＥＰＤによって構成された電気泳動表示部１００４と、を備えている。
【００５７】
図４（ｂ）は、電子機器の一例である腕時計１１００を示す斜視図である。この腕時計１１００は、本実施形態の電気泳動表示装置ＥＰＤによって構成された電気泳動表示部１１０１を備えている。
図４（ｃ）は、電子機器の一例である電子ペーパー１２００を示す斜視図である。この電子ペーパー１２００は、紙と同様の質感および柔軟性を有するリライタブルシートで構成される本体部１２０１と、本実施形態の電気泳動表示装置ＥＰＤによって構成された電気泳動表示部１２０２を備えている。
【００５８】
上述のような電子ブックや電子ペーパーなどは、白地の背景上に文字を繰返し書込む用途が想定されるため、消去時残像や経時的残像の解消が必要とされる。
なお、本発明の電気泳動表示装置ＥＰＤが適用可能な電子機器の範囲はこれに限定されず、帯電粒子の移動に伴う視覚上の色調の変化を利用した装置を広く含むものである。本発明の電気泳動表示装置ＥＰＤは、また、デジタルサイネージ（広告）などに対しても適用可能である。
【００５９】
（動作及び作用）
図５に、画像切換時のタイミングチャートの１例を示す。
この図５のように、クロックパルスＣＫの立ち上がり及び立下りに同期して、第１走査線ＹＬｎが、書き換え領域の第１行目に接続されている１番目の第１走査線ＹＬ１から書き換え領域の最終行である第ｊ行目に接続されているｊ番目の第１走査線ＹＬｊまで順番に選択される。選択された第１走査線ＹＬｎに接続された画素１１1n〜１１nmに対し、第１データ線ＸＬ１〜ＸＬｍを通じて順番に第１階調データが書き込まれる。
ここで、列についても、リセット処理のための前記第１階調データの書込は、少なくとも書き換える領域、すなわち第２の画像表示に対応する領域の第１データ線に信号を送れば良い。
【００６０】
また、第１走査線ＹＬｎの選択開始から第１の期間ＴＭ１後に、第２走査線ＹＲ１−ｎが、第１走査線ＹＬｎの選択順序と同じ順序で順番に選択される。すなわち、第２走査線ＹＲ１−ｎが、書き換え領域の第１行目に接続されている１番目の第２走査線ＹＲ１−１から書き換え領域の最終行である第ｊ行目に接続されているｊ番目の第２走査線ＹＲ１−ｊまで順番に選択される。選択された第２走査線ＹＲ１−ｎに接続された画素１１1n〜１１nmに対し、第２データ線ＸＲ１−１〜ＸＲｍを通じて第２の階調データが書き込まれる。
【００６１】
更に、第２走査線ＹＲ１−ｎの選択開始から第２の期間ＴＭ２後に、第３走査線ＹＲ２−ｎが、第１走査線ＹＬｎの選択順序と同じ順序で順番に選択される。すなわち、第３走査線ＹＲ２−ｎが、書き換え領域の第１行目に接続されている１番目の第３走査線ＹＲ２−１から書き換え領域の最終行である第ｊ行目に接続されているｊ番目の第３走査線ＹＲ２−ｊまで順番に選択される。選択された第３走査線ＹＲ２−ｎに接続する画素１１ｎｍに対し、第３データ線ＸＲ２−ｍを通じて、次に表示する画像データに応じた階調データを書き込む。
【００６２】
これによって、ディスプレーコントローラ１００は、Ｔ１において表示されている第１の画像表示を、Ｔ２において書き換え領域の第１行目（本実施形態では下側の行）の画素１１1mの列から順番に、第１の階調である黒で消去し、その後、Ｔ３において書き換え領域の第１行目から、第２の階調である白で上書きし、更にその後、Ｔ４において書き換え領域の第１行目から、次の第２の画像表示を順番に書き込んでいく。
【００６３】
このとき、ディスプレーコントローラ１００は、同一の画素１１ｎｍに着目すると、第１階調データが書き込まれてから、第１の期間ＴＭ１後に第２の階調データが書き込まれ、更に、第２の期間ＴＭ２後に第３の階調データとして、次の画像表示に対応した階調データが書き込まれる。また、画素１１ｎｍに対し階調データを書き込むと、次の階調データの書き込みまで、保持容量１１Ｇによって前の電圧レベルが保持される。
【００６４】
この結果、第１階調データの書き込みから第１の期間ＴＭ１経過後まで、第１の階調の書き込みが継続する。この第１の書き込みが継続することで、上記帯状の表示となると共に、黒粒子の移動時間を確保する。同様に、第２の階調データの書き込みから第２の期間ＴＭ２経過後まで、第２の階調の書き込みが継続する。この第２の書き込みが継続することで、上記帯状の表示となると共に、白粒子の移動時間を確保する。
【００６５】
これによって、黒による消去、及び白による消去を行い残像を低減することが出来る。
更に、黒の上に白による上書きに続けて、次の画像データを下側から順次書き込むことで、書き込み時間の短縮が図られる。すなわち、リセットの処理が完了する前に第２の画像の書込処理を開始できる。
【００６６】
図６に前記処理による表示部１の遷移例を示す。
この図６の例では、第１の画像である現在の画像の消去動作時に、現在の画像表示に対して、下側から順番に、所定の幅の黒帯を走査した応対となり、第１の期間ＴＭ１後に、所定の幅の白帯を走査した状態となることで、現在の画像を消去してリセットする。さらに、所定の幅の白帯に続けて、下側から順番に、次の画像の階調データを書き込んでいく。
【００６７】
ここで、帯とは表示部での表示状態を指す。実際には、第１の階調データを書き込んだ後に第１の階調とは異なる第２の階調を書き込むことで、表示状態として、第１の階調の色の帯となる。すなわち、黒帯とは、書き換え領域における、所定の幅分だけ連続する行に位置する画素がそれぞれ黒の階調となっている状態である。白帯も、書き換え領域における、所定の幅分だけ連続する行に位置する画素がそれぞれ白の階調となっている状態である。上記帯の幅は、図５に示すように、別の階調の書込が行われる時間によって規定されている。
【００６８】
すなわち、黒帯の幅、及び白帯の幅は、前記第１の期間ＴＭ１及び第２の期間ＴＭ２で規定される。この第１の期間ＴＭ１及び第２の期間ＴＭ２は、第１及び第２の階調に対応する黒粒子及び白粒子の移動度に応じて設定する。例えば、第１の期間ＴＭ１を、第１の階調である黒色とするために電気泳動素子１１Ａに印加する電位差に応じて、黒粒子が画素電極１１Ｂから共通電極１１Ｃに移動するに要する時間に対応した期間に設定する。同様に、第２の期間ＴＭ２を、第２の階調である白色とするために電気泳動素子１１Ａに印加する電位差に応じて、白粒子が画素電極１１Ｂから共通電極１１Ｃに移動するに要する時間に対応した期間に設定する。
黒粒子と白粒子とは帯電度合及び印加電圧が異なるので、前記第１の期間ＴＭ１と第２の期間ＴＭ２とは異なる値となる。
【００６９】
なお、ＥＰＤの応答速度は遅いため、黒及び白の帯が１つの画素１１ｎｍを通過するまでの間（第１の期間ＴＭ１と第２の期間ＴＭ２）はそれぞれ１０ｍｓ以上となることが望ましい。仮に、１行選択してから次の行を選択するまでの時間が１００μｍで、帯が１つの画素１１ｎｍを通過する時間を１０ｍｓとする場合、帯の幅は画素１１ｎｍの１００行分となる。ただし、前記の１０ｍｓという時間は電気泳動粒子の移動速度に依存するため、今後の開発により応答が速くなったり、あるいは、印加する電圧によっては、より短い時間でも良い。つまり、応答時間以上とする。
ただし、第１の期間ＴＭ１と第２の期間ＴＭ２は、対応する階調データを全画素に書き込むのに要する時間よりも短い期間とする。
【００７０】
（本実施形態の効果）
（１）リセット処理として、第１階調書込手段が、初期化用の階調データを書き込む画素を予め設定した順番で選択し、選択された画素に順次、第１の階調の階調データを書き込むことで、第１の画像に応じた各画素の階調を順次第１の階調にする。また、第２階調書込手段が、前記第１の階調の階調データを書き込んだ画素に対し、当該第１の階調の階調データの書き込みから第１の期間ＴＭ１後に、第１の階調とは異なる第２の階調の階調データを書き込む。さらに、書込処理部が、前記第２の階調の階調データを書き込んだ画素に対し、当該第２の階調の階調データの書き込みから第２の期間ＴＭ２後に、第３の階調の階調データを書き込む。
【００７１】
つまり、第１の期間ＴＭ１に応じた幅の第１の階調である黒色の帯で、現在の表示画像が直接かつ順番に消去されると共に、続けて第２の期間ＴＭ２に応じた幅の第２の階調である白色の帯で上書きする。
これによって、画面全体を一旦黒色で消去することが無い。また、第１の期間ＴＭ１で特定される幅の第１の階調の帯、第２の期間ＴＭ２で特定される幅の第２の階調の帯で、画面を走査して、現在の画像である第１の画像を順番に直接リセットする。
この結果、リセットのための時間を抑えつつ、しかも画面全体を所定の階調で点滅させることなく、全画素を同じ消去パターンで、残像を低減することができる。
【００７２】
（２）前記画像書込部が、前記第３の階調の階調データとして、書き換えるための第２の画像表示に応じた階調データを書き込む。これによって、第２の階調での上書きに続いて、順次、次の画像表示に応じた階調データの書き込みが行われる。この結果、画像切換時における、次の画像書き込みを早くすることが可能となる。
（３）前記第１の期間ＴＭ１は、第１の階調に対応した電気泳動粒子の移動度に基づき設定し、第２の期間ＴＭ２は、第２の階調に対応した電気泳動粒子の移動度に基づき設定する。これにより、より確実にリセットのための階調書き込みを行うことが出来る。
【００７３】
（４）各画素に対し、第１の階調を書き込む画素を選択する第１走査線と、第２の階調を書き込む画素を選択する第２走査線と、を個別に有する。そして、第１階調書込手段は、第１走査線によって書き込む画素を選択し、第２階調書込手段は、第２走査線によって書き込む画素を選択する。これによって、第１の階調を書き込んでいる画素とは異なる画素に対し、同時期に第２の階調を書き込むことが可能となる。このことは、リセット処理の時間を短縮することに繋がる。
【００７４】
（変形例）
（１）前記実施形態では、３組の走査線ＹＬｎ、ＹＲ１−ｎ、ＹＲ２−ｎ及びデータ線ＸＬｍ、ＸＲ１−ｍ、ＸＲ２−ｍの組を使用して、１本の黒帯及び１本の白帯を順番に走査して現在の画像を消去し、白帯に続けて次の画像のデータを第３の階調として書き込む場合で説明した。
【００７５】
これに代えて、黒白黒白など複数本ずつの帯を走査させて、リセット処理を実行しても良い。この場合、走査させる帯の数だけ、走査線及びデータ線の組を用意する必要はない。
上記黒白その後に、次に書き換える画像（第２の画像）の画像データの書き込みを実行する。なお、各画素は、次に書き換える画像（第２の画像）の画像データの書き込みが行われる迄は、その直前に書き込んだ階調表示となっている。
この場合には、２番目の黒帯の階調、つまり第１の階調が第３の階調に対応する。
【００７６】
（２）また、前記実施形態では、黒帯、白帯の順番に走査する場合で説明した。これに代えて、白帯、黒帯の順番に走査して現在の画像の消去を実施しても良い。
（３）更に、現在の画像における黒色の画素数と白色の画素数とをカウントしておいて、画素数の多い階調の帯を先に走査させるようにしても良い。カウントは、例えば現在の画像データの書込の際に、電圧値ＨｉとＬｏとをカウントして記憶しておけば良い。カウントは、例えば、図３中に併せて記載した階調カウント部１１０Ｄａを設け、画像書込部１１０Ｄで画像データの書込の際にカウントしておく。そしてカウントした白と黒との数の大きい方の階調を第１の階調に設定する。
【００７７】
例えば、黒の画素数が多い場合には、黒白の順番に帯を走査し、白の画素数が多い場合には、白黒の順番に帯を走査する。
すなわち、現在の画像表示（第１の画像）における各画素の階調に基づき、現在の画像表示で一番多く占有する階調を前記第１の階調とする。これによって、現在の画像表示で一番多い階調を第１の階調として、現在の画像を消去する。この結果、よりリセットの際における、ユーザーに与えるちらつきを低減することが可能となる。すわなち、現在の画像で相対的に多い階調で先ず消去を掛けることで、より眼への負担を抑制することが可能となる。
【００７８】
（４）また、前記実施形態では、各帯の先頭で階調データの書き込みを行い、それ以降は、保持容量１１Ｇで保持する場合を例示した。これに代えて、同一の階調の場合には、各帯の先頭だけでなく、途中においても階調データの書き込みを行っても良い。
（５）また、前記実施形態では、走査線ＹＬｎ、ＹＲ１−ｎ、ＹＲ２−ｎによる画素１１ｎｍの選択が、表示部１における下側の行から上側の行に向けて遷移する場合で例示したが、これに限定しない。画素１１ｎｍの選択方向は、表示部１における上側の行から下側の行、横方向、斜め方向などでも構わない。例えば、表示部１への画像の表示の仕方（縦書きや横書きなど）に応じて適宜設定すればよい。また、消去順番自体に、ユーザーの興味を引きつけるような意匠性を持たせても良い。
【００７９】
「第２実施形態」
次に、第２実施形態について図面を参照しつつ説明する。なお、前記第１実施形態と同様な構成等には同一の符号を付して説明する。
前記第１実施形態では、画像切換のときに走査させる帯の数だけ走査線ＹＬｎ、ＹＲ１−ｎ、ＹＲ２−ｎ及びデータ線ＸＬｍ、ＸＲ１−ｍ、ＸＲ２−ｍの組を備える場合で例示した。これに対し、第２実施形態では、画素１１ｎｍ単位に一組の走査線Ｙｎ及びデータ線Ｘｍを用いて、前記第１実施形態と同様な作用を実現する例である。ここで、走査線Ｙｎは、ｎ行目の走査線を示す。データ線Ｘｍは、ｍ列目のデータ線を示す。
【００８０】
ただし、以下の説明では、第３の階調が第１の階調とする場合で説明する。そして、リセット処理時に、黒白黒白の４本の帯を走査する場合を例に挙げた例で説明する。本実施形態は、リセットのために走査する帯の数は3本以上であれば適用することが出来る。
本実施形態の電気泳動表示パネル１０では、図７に示すように、走査線Ｙｎは、各行の画素１１ｎｍ毎に１本ずつ配置される。データ線Ｘｍは、各列の画素１１ｎｍ毎に１本ずつ配置される。またこれに併せ、走査線駆動回路２０及びデータ線駆動回路３０は、それぞれ１つである。なお、各画素１１ｎｍの画素回路は、一つのスイッチング素子のみを有する。
【００８１】
本実施形態の走査線駆動回路２０は、図８に示すように、シフトレジスタ回路４０、Ｔ型フリップフロップ回路４１Ａ、４１Ｂ、ＡＮＤ回路４２Ａ、４２Ｂ、ＯＲ回路４３、レベルシフタ回路４４、及び出力バッファ４５を備える。前記Ｔ型フリップフロップ回路４１Ａ、４１Ｂ、ＡＮＤ回路４２Ａ、４２Ｂの組は、選択する各走査線Ｙｎごとに２組ずつ設けられる。
【００８２】
すなわち、選択可能な各走査線Ｙｎ毎に、一対のＴ型フリップフロップ回路４１Ａ、４１Ｂが並列に配置される。対をなすＴ型フリップフロップ回路４１Ａ、４１Ｂのうちの一方である第１のＴ型フリップフロップ回路４１Ａの入力と出力とがそのまま第１のＡＮＤ回路４２Ａの入力となる。一方、対をなすＴ型フリップフロップ回路４１Ａ、４１Ｂのうちの他方である第２のＴ型フリップフロップ回路４１Ｂの入力と出力とが第２のＡＮＤ回路４２Ｂの入力となる。ただし、第２のＴ型フリップフロップ回路４１Ｂの出力は、インバータ４６を介して第２のＡＮＤ回路４２Ｂに入力する。
【００８３】
組をなす第１のＡＮＤ回路４２Ａと第２のＡＮＤ回路４２Ｂは、ＯＲ回路４３の入力端子に接続される。そして、各ＯＲ回路４３が、対応する走査線Ｙｎに対する選択信号を出力する。
そして、走査線駆動回路２０には、シフトレジスタ回路４０にクロックパルスＣＫを入力された状態で、スタートパルスが入力されることで、入力されたスタートパルスは、クロックパルスＣＫの立上り及び立ち下がりに同期して順にシフトしていく。これによって、縦に並ぶ各線に対して順に選択信号が出力される。
【００８４】
このとき、リセット処理時における各線に入力する選択信号は、図９のような、互いに所定の間隔を開けた４つの選択信号を有する信号パターンとなっている。
組をなす線に入力した各選択信号は、第１のＴ型フリップフロップ回路４１Ａ及び第１のＡＮＤ回路４２Ａ側では、第１及び第３の選択信号だけが第１のＡＮＤ回路４２Ａの出力となる。一方、第２のＴ型フリップフロップ回路４１Ｂ及び第２のＡＮＤ回路４２Ｂ側では、インバータ４６によって、第２及び第４の選択信号だけが第２のＡＮＤ回路４２Ｂの出力となる。
【００８５】
そして、ＯＲ回路４３によって、図９に示すような、各走査線Ｙｎに供給する選択信号が形成される。
また、データ線駆動回路３０には、クロックパルスＣＫが入力された状態で、目的の階調に応じた電圧を各データ線Ｘｍに供給する。データ線駆動回路３０では、リセット処理時には、クロックパルスＣＫの立ち上り及び立ち下がりに同期して、データ線Ｘｍに供給する電圧値を、第１の階調に応じた電圧（＝Ｈｉ）と第２の階調（＝Ｌｏ）との間で交互に切り換える。
【００８６】
その他の基本構成は、前記第１実施形態と同様である。
ただし、本実施形態では、リセット処理部の処理が終了してから、画像書込部１１０Ｄが作動して、次の表示画像に応じた階調データを各画素１１ｎｍに書き込む場合とする。
【００８７】
（動作及び作用）
前記図９は、画像切換時におけるリセット処理時のタイミングチャート例である。
線Ｓ１に対応した画素１１ｎｍに着目すれば、図９のＳ１のように、先ず、第１の選択信号で第１階調データが書き込まれる。第１階調データの書き込みから第１の期間ＴＭ１後に、第２の選択信号で第２の階調データが書き込まれる。さらに、第２の階調データの書き込みから第２の期間ＴＭ２後に、第３の選択信号で再度第１階調データが書き込まれる。さらにまた、第１階調データの書き込みから第１の期間ＴＭ１後に、第４の選択信号で第２の階調データが書き込まれる。なお、第１の期間ＴＭ１と第２の期間ＴＭ２とは期間が異なる。
【００８８】
また、前記処理となる選択パターンが、図９におけるＳ１〜Ｓ５のように、クロックパルスＣＫに同期を取って、順にシフトしながら、前記の書き込みが各画素１１ｎｍにおいて実施される。本実施形態では、２つの階調データを書き込むことから、２クロック分だけずれて走査線の選択がシフトする。
【００８９】
これによって、現在の画像である第１の画像表示を、下側の行の画素１１ｎｍから順番に、第１の階調である黒の帯の状態で消去され、続けて第２の階調である白の帯の状態で消去される。更に続けて、第１の階調である黒の帯、及び第２の階調である白の帯で更に消去される。
【００９０】
図１０に前記処理による表示部１の状態の例を示す。
この図１０のように、現在の画像の消去動作時に、現在の画像表示に対して、下側から順番に、所定の幅の黒帯を走査し、所定の幅の白帯を走査することで、現在の画像を順番に黒で消去した後に白で上書きを行う。さらに、下側から順番に、所定の幅の黒帯を走査し、更に白で上書きを行う。
【００９１】
これによって、現在の画像が確実に消去して、より残像発生を抑える。
その後に、書込処理部が、各画素１１ｎｍに対して次の新たな表示画像に対応した階調データを画像データとして書き込む。
【００９２】
（本実施形態の効果）
（１）第３の階調の階調データは、第１の階調の階調データであり、前記リセット処理部が、前記第３の階調の階調データを書き込む。これによって、リセット処理のために各画素に対し３回以上の書き込み連続的に行われる。この結果、より残像を低減することが出来る。
【００９３】
（２）階調データを書き込む画素を選択する１本の走査線Ｙｎを備える。そして、各走査線に対して、第１階調データを書き込む選択信号を供給した後に、第１の期間ＴＭ１後に第２の階調データを書き込む選択信号を供給し、更に第２の期間ＴＭ２後に第３の階調データを書き込む選択信号を供給する。これによって、走査線を増加することなく、第１の階調と第２の階調によるリセット処理が可能となる。
（３）その他の効果は、前記第１実施形態と同様である。
【００９４】
「第３実施形態」
次に、第３実施形態について図面を参照して説明する。
前記第２実施形態では、第３の階調を第１の階調として、繰り返して第１の階調の帯を走査する場合を例示した。
第３実施形態では、第２実施形態で説明した構成を使用して、第３の階調として次の表示画像に応じた階調データを書き込む場合の例を説明する。
【００９５】
この場合には、走査線駆動回路２０では、シフトレジスタ回路４０とレベルシフタ回路４４との間に、図１１に示すように、直列に接続する２つのＴ型フリップフロップ回路、ＡＮＤ回路の組を、各走査線Ｙｎに対応させて、３組ずつ設ける。これによって、画素群１行の選択期間を３分割させる。
【００９６】
この各走査線Ｙｎ毎に設ける３組の信号伝達路を、選択の早い方からＡライン、Ｂライン、Ｃラインと呼ぶ。Ａライン及びＢラインは、リセットのための画素１１ｎｍの選択に使用される。Ｃラインは、表示画像に応じた階調データを書き込みのための画素１１ｎｍの選択に使用される。
【００９７】
３つのラインの各構成は、それぞれ第３のＴ型フリップフロップ回路５１Ａ、５１Ｃ、５１Ｅの出力端子を第４のＴ型フリップフロップ回路５１Ｂ、５１Ｄ、５１Ｆの入力端子に接続される。また、第３のＴ型フリップフロップ回路５１Ａ、５１Ｃ、５１Ｅの入力信号、第４のＴ型フリップフロップ回路５１Ｂ、５１Ｄ、５１Ｆの入力信号（第３のＴ型フリップフロップ回路５１Ａ、５１Ｃ、５１Ｅの出力信号）、及び第４のＴ型フリップフロップ回路５１Ｂ、５１Ｄ、５１Ｆの出力信号を、対応するＡＮＤ回路４２Ａ、４２Ｂ、４２Ｃの入力とする。
【００９８】
ただし、Ｂラインでは、第４のＴ型フリップフロップ回路５１Ｄの入力信号を、インバータを介して対応するＡＮＤ回路４２Ｂに入力する。また、Ｃラインでは、第４のＴ型フリップフロップ回路５１Ｆの出力信号を、インバータを介して対応するＡＮＤ回路４２Ｃに入力する。
ここで、シフトレジスタ回路４０を動作させる前に、全Ｔ型フリップフロップ回路５１Ａ〜５１Ｆに毎回リセット信号を入力してリセットが行われる。また、１フレーム走査後、次フレーム前にも全Ｔ型フリップフロップ回路５１Ａ〜５１Ｆが再度リセットされる。
【００９９】
そして、走査線駆動回路２０には、シフトレジスタ回路２０Ａ１にクロックパルスＣＫが入力された状態で、スタートパルスが入力されることで、入力されたスタートパルスは、クロックパルスＣＫの立上り及び立ち下がりに同期して順にシフトしていく。これによって、縦に並ぶ各線に対して順に選択信号が出力される。
このとき、リセット処理時における各線に入力する選択信号は、図１２のような３つの選択信号を有する信号パターンとなっている。これが順次シフトしてシフトレジスタ回路４０に接続する各線に供給される。
【０１００】
各ラインに入力した各選択信号は、Ａラインでは、第１の選択信号だけがＡＮＤ回路４２Ａの出力となる。Ｂラインでは、第２の選択信号だけがＡＮＤ回路４２Ｂの出力となる。Ｃラインでは、第３の選択信号だけがＡＮＤ回路４２Ｃの出力となる。
そして、ＯＲ回路によって、図１２に示すような、各走査線Ｙｎに供給する選択信号が形成される。
【０１０１】
また、３クロック分だけずれて、順次、走査線Ｙｎに選択信号が供給されることになる。
また、データ線駆動回路３０では、入力するクロックパルスＣＫに応じて、３クロック分を一組として、階調データに応じた電圧を各データ線Ｘｍに供給する。
【０１０２】
前記各組は、各クロック毎に階調データの設定を行う。各組の第１クロック目には、第１の階調に応じた階調データ（＝Ｈｉ）が設定され、第２クロック目には、第２の階調に応じた階調データ（＝Ｌｏ）が設定され、第３クロック目には、次の表示画像に応じた階調データが設定される。
【０１０３】
ここで、前記説明は、第１の期間ＴＭ１と第２の期間ＴＭ２とを同じ期間の期間としている。このため、前記のように、３クロック分を一組として繰り返すパターンとなっている。
前記第１の期間ＴＭ１と第２の期間ＴＭ２とを異なる期間に設定する場合には、リセットのための第１の階調若しくは第２の階調、又は次の表示画像に応じた階調データの書き込みなのかに同期させて、各データ線Ｘｍへの書き込みを実施すればよい。ただし、同時に２つの画素１１ｎｍ例を選択しないように、各組のクロック数を設定しておく。
【０１０４】
（動作・作用）
この実施形態では、第１実施形態と同様に、すなわち、上述の図６に示すように、現在の画像を下側の行から第１の階調である黒色の帯の状態で消去し、続けて白色の帯を走査させた状態とすることで消去をより確実なものとする。更に、白色の帯に続けて、下側から順番に、次の書き換え画像（第２の画像）の画像データを書き込んで行く。
【０１０５】
（本実施形態の効果）
（１）各画素に接続される１本の走査線と１本のデータ線によって、第１実施形態と同様な効果を得ることが可能となる。
【符号の説明】
【０１０６】
ＥＰＤ 電気泳動表示装置、ＴＭ１  第１の期間、ＴＭ２  第１の期間、ＸＬｍ  第１データ線、ＸＲ１−ｍ  第２データ線、ＸＲ２−ｍ       第３データ線、Ｘｍ   データ線、ＹＬｎ 第１走査線、ＹＲ１−ｎ  第２走査線、ＹＲ２−ｎ  第３走査線  Ｙｎ  走査線、１     電気泳動表示部、１０  電気泳動表示パネル、１１  画素１１ｎｍ、１１Ａ  電気泳動素子、１１Ｂ  画素電極、１１Ｃ  共通電極、２０  走査線駆動回路、２０Ａ   第１走査線駆動回路、２０Ｂ  第２走査線駆動回路、２０Ｃ      第３走査線駆動回路、３０       データ線駆動回路、３０Ａ    第１データ線駆動回路、３０Ｂ       第２データ線駆動回路、３０Ｃ   第３データ線駆動回路、１００         ディスプレーコントローラ、１１０  画像信号処理部、１１０Ａ  画像データ読込部、１１０Ｂ  画像変換部、１１０Ｃ  リセット処理部、１１０Ｃａ  階調書込手段、１１０Ｃｂ  階調書込手段、１１０Ｄ  画像書込部、１２０    タイミングジェネレータ
【図１】
0005446961.tif 000002
【図２】
0005446961.tif 000003
【図３】
0005446961.tif 000004
【図４】
0005446961.tif 000005
【図５】
0005446961.tif 000006
【図６】
0005446961.tif 000007
【図７】
0005446961.tif 000008
【図８】
0005446961.tif 000009
【図９】
0005446961.tif 000010
【図１０】
0005446961.tif 000011
【図１１】
0005446961.tif 000012
【図１２】
0005446961.tif 000013